(57)【特許請求の範囲】
【請求項１】
適宜の傾斜角度となした載置台上面に、前後方向に陳列した商品の個数が販売時に減少するに伴い、背もたれ部を前方向に摺動させ得る陳列トレーにおいて；前方を高めに設定した長方形状の傾斜面付き載置台の長手方向である左、右側壁部沿い内側に摺動溝を設け、また該摺動溝の最前端には着脱穴をそれぞれ透設し、前記左、右側壁部の上縁外側のいずれか適宜位置に連結用突縁部または連結用突縁受入部を対設してなり、前記着脱穴と対応して挿脱自在に嵌装できる鉤部を有する摺動部を下縁両側に垂設してなる前記背もたれ部について、前記摺動溝に沿って前記着脱穴と反対の奥方向に押しやって複数個の商品を装着し、それら装着した複数個のうち最前位置の商品を取り出す度に前記背もたれ部を前進させ得る構成であることを特徴とする商品販売棚用陳列トレー。
【請求項２】
前記載置台の前壁部を下方に向け前記左、右側壁部の高さよりも長目に垂設してなることを特徴とする請求項１記載の商品販売棚用陳列トレー。
【請求項３】
前記前壁部表面に透明カバーを付設し表示板を挿脱自在としたことを特徴とする請求項２記載の商品販売棚用陳列トレー。
【請求項４】
前記左、右側壁部内側と前記摺動溝相互間に段落部を形成し、装着する商品の横幅の広狹に適合することを特徴とする請求項１、２または３記載の商品販売棚用陳列トレー。
【請求項５】
前記傾斜面の適宜位置に前記左、右側壁部と見合う吸盤用取付孔を具備した凹陥部を形成したことを特徴とする請求項１、２、３または４記載の商品販売棚用陳列トレー。
【発明の詳細な説明】
【０００１】
【発明の属する技術分野】
本発明は、主に小売店などにおいて、いわゆるビデオソフト等の商品の販売に供される棚あるいはテーブルで使用する陳列トレーに関する。
【０００２】
【従来の技術】
近年、一般消費者の間において、趣味や教養のために役立つ録音録画済みソフトを購入して楽しみ、あるいは教養を深めることが広まっており、それら関心の寄せられる音や映像情報がテープやディスクなどの記録媒体にパックして配布されている。
【０００３】
従来より、通常の小売店などにおける前記商品（ここでは、主にビデオソフトの場合を対象として説明する。）の陳列形式についてみた場合、該ビデオソフトについてタイトル名のごときが表示されている背部を表面に顕出して横並びに陳列している。あるいはまた、該ビデオソフトは、通常、タイトル名に加えて、購買意欲を高めるために収録内容を強調した文字、図形などが側面部分に表現されていることから、それを表面として、前後方向に段積みして陳列するのが一般的である。
【０００４】
しかしながら、前記棚やテーブルに陳列されているビデオソフトについて、その一部を消費者が購入のため抜き取った後には、横並びに陳列している場合には、両隣りの前記ビデオソフトの陳列が傾斜したり横倒しとなるし、また、前後方向に段積みしている場合には、奥の方のビデオソフトが取り出しにくく、陳列効果も次第に悪くなることが多く経験されていた。
前記陳列に際しての問題を解決することを目的として、これまでに実開昭５６−１２５７６９号公報（物品陳列用のケース）、特開昭５９−２１８１１３号公報（商品陳列ケース）、実開平３−４５７６９号公報（ＣＤソフトの展示棚の構造）に示されるような技術思想が開示されている。
【０００５】
ところで、先行技術である前記物品陳列用のケースは、押え部材下端の支持片を本体下面に巻き込む、すなわち両側からかかえこむ構造であるため、本体上面を上下にスライドする場合、どうしてもその動作がぎこちなく、なめらかさを期待できないし、また複数の箱状パッケージの商品が本体上面において常に両側を揃えて展示できず、その結果、乱雑になりがちであり、しかも商品両側が不揃いとなるだけでなく、商品の抜き取りに際し、時には本体上から外れて落ちるおそれのあることが認められる。
【０００６】
また前記商品陳列ケースの場合は、左右方向へ複数列及び上下方向へ複数段に順次連結できて、多数の商品陳列効果を挙げられる工夫が認められるものの、必然的に構成が複雑となり、製造コストが高騰する点に問題があり、量販店のごとき小売店に設定されている既存の棚に設定する場合には不向きである。
【０００７】
更に、前記ＣＤソフトの展示棚の構造についてみると、それは多数のＣＤソフトについて、それらのうちの１本は平らに展示し、残りは本を本棚に収納する形式を採用するものであるが、専ら特異な大型の展示棚を必要とするために、前記商品陳列ケースと同様の問題を有している。
【０００８】
【発明が解決しようとする課題】
前述のビデオソフト等の商品は、その取扱いの容易性、映像の鮮明さ、耐久性、それを使用する家庭用ビデオテープレコーダーの普及もあって、その販売取扱い店は従来の専門店中心から量販店、百貨店にまで移行拡大している。前記量販店などにおける前記ビデオソフトの販売形態についてみると、その販売什器は既存の汎用タイプである棚板に隙間なく並列する場合が多く、ビデオソフトに適したものではなく、そのため陳列を効果的に行い販売促進に寄与できる陳列トレーについての提案はいまだなかった。
本発明は、前記した商品販売棚用陳列トレーについて求められている技術的課題の解決を目的とするものである。
【０００９】
【課題を解決するための手段】
前記目的を達成するに当たっての本発明に係る商品販売棚用陳列トレーは、適宜の傾斜角度となした載置台上面に、前後方向に陳列した商品の個数が販売時に減少するに伴い、背もたれ部を前方向に摺動させ得る陳列トレーにおいて；前方を高めに設定した長方形状の傾斜面付き載置台の長手方向である左、右側壁部沿い内側に摺動溝を設け、また該摺動溝の最前端には着脱穴をそれぞれ透設し、前記左、右側壁部の上縁外側のいずれか適宜位置に連結用突縁部または連結用突縁受入部を対設してなり、前記着脱穴と対応して挿脱自在に嵌装できる鉤部を有する摺動部を下縁両側に垂設してなる前記背もたれ部について、前記摺動溝に沿って前記着脱穴と反対の奥方向に押しやって複数個の商品を装着し、それら装着した複数個のうち最前位置の商品を取り出す度に前記背もたれ部を前進させ得る構成であることを特徴とする。
【００１１】
更に、前記載置台の前壁部を下方に向け前記左、右側壁部の高さよりも長目に垂設することも好ましく、あるいは前記前壁部表面に透明カバーを付設し表示板を挿脱自在とすることもよい。
【００１２】
加えて、前記左、右側壁部内側と前記摺動溝相互間に段落部を形成し、装着する商品の横幅の広狹に適合する構成もよい。
【００１３】
なお、前記傾斜面の適宜位置に左、右側壁部と見合う吸盤取付孔を具備した凹陥部を形成することも更に好ましい。
【００１４】
【発明の実施の形態】
以下に、本発明の最良の結果をもたらす実施の形態を図面に従い説明すると、図１は分離状態の要部説明図、図２は使用状態説明図、図３は図１のＩＩＩ−ＩＩＩ線における背もたれ部の直立、伏倒または移行状態を示す断面説明図、図４は図１のＩＶ−ＩＶ線における載置台の断面説明図、図５は載置台の裏面図、図６は陳列トレーの連結状態を示す説明図である。
【００１５】
図面上、Ａは載置台、Ｂは背もたれ部、Ｐはビデオソフト等の商品を例示したものである。
本発明において、載置台Ａは長方形状の傾斜面１付きの形状とすることにより、ビデオソフトＰの側面部分を表面に位置するようなして、前後方向に段積みの上陳列した場合、該側面部分は幾分上向き加減となるので、購買者にとり見易くなるものである。
２Ａ，２Ｂは傾斜面１付き載置台Ａ両側を形成する左、右側壁部であり、図面上、載置台Ａを両側から対向し下方に向けて垂設される。
【００１６】
３は前壁部であり、載置台Ａ前面にせり出し、かつ下方に向け前記左、右側壁部２Ａ，２Ｂの高さよりも長目に垂設して左、右側壁部２Ａ，２Ｂ相互間に介在している。
４は摺動溝であって、前記載置台Ａの長手方向である左、右側壁部２Ａ，２Ｂ沿い内側に直線状のもとに透設してある。
５は摺動溝４の最前端であって前壁部３寄りに透設した後述する鉤部１２と適合する着脱穴である。
６Ａは連結用突縁受入部であり、６Ｂは該連結用突縁受入部６Ａと係合する連結用突縁部であって、左、右側壁部２Ａ，２Ｂ上縁外側の、例えば中央部位に設けられており、複数のビデオソフト販売棚用陳列トレーとして連設する場合に好適なものである。
【００１７】
７Ａは透明カバーであり、それは前記前壁部３表面に既知の係止手段、例えば前壁部３上部の３個所と下縁の係止縁とにより、あるいは図示を省略したが上下四隅のごとき位置に係止爪を付設して、取外し自在に係合できるようにしたものである。
図示例は透明カバー７Ａの下縁に突片を形成し、それと対応して前壁部３下縁に刻設した挿入口に挿着固定する場合を示している。
７Ｂは表示板であって、例えばビデオソフトのタイトル名、あるいはそのキャッチフレーズなどを表示できるものであって、透明カバー７Ａに例えば側方から挿脱可能としたものである。
【００１８】
８は左、右側壁部２Ａ，２Ｂ内側と摺動溝４相互間に形成した段落部であり、従って、対向する段落部８相互の傾斜面１は段差によって低く形成される。
本発明において、前記段落部８の設定に際しては、ビデオソフトの場合、その紙製パッケージの横幅が１０５ｍｍであるのに対し、プラスチック製パッケージのそれが１２７ｍｍであって、両者の横幅が一致せず広狹の２種類のもとに市場に提供されているのが現状であることを勘案し、前記段差によって低く形成された部位の傾斜面１に前記紙製パッケージを、また前記段落部８上面であって左、右側壁部２Ａ，２Ｂ内側の部位には前記プラスチック製パッケージを載置するように配慮することが好ましい。
【００１９】
図面上、９は前記傾斜面１の適宜位置として前記摺動溝４相互間であって縦方向に形成した吸盤用取付孔９Ａを具備した凹陥部であり、既知の吸盤Ｋが着脱自在に取付けられる。
１０は前壁部３後方部位に付設した挿入孔であり、装飾材Ｄ、例えば載置されるビデオソフトＰと関連のある、例えば販売促進に役立つ物品が植設される。
背もたれ部Ｂの形状としは、図面上、三角形状を例示したが、もとよりそれに限定されるものではなく、図示を省略するが、アーチ形状、台形状のごときであっても差し支えない。
背もたれ部Ｂ下縁両側には、前記着脱穴５に挿脱自在のもとに嵌装される摺動部１１が垂設してあり、１２はそれら摺動部１１下端に形成したＬ状の鉤部である。
【００２０】
本発明の使用要領としては、量販店などの店舗内に設置されている棚板、テーブルについて特別の物理的変更を加えることなく、既存の棚板などに本発明の陳列トレーを載置することによって、他に類をみない販売上の展示効果をもたらし、またビデオソフトＰの取り出し易さを発揮するものである。
すなわち、背もたれ部Ｂ下端を前壁部３方向に向け前傾させて、摺動部１１の鉤部１２を摺動溝４の最前端に透設した着脱穴５に確実に差し入れた後、背もたれ部Ｂを直立させて摺動溝４に沿って着脱穴５と反対の奥方向に押しやり、複数のビデオソフトＰを載置すれば、その紙製またはプラスチック製いかんによって段落部８相互間に、または段落部８上面に載架した状態のもとで収まるものである。
購買者または販売者は、需めに応じてビデオソフトＰを最前位置にあるものから順次取り出して、生じた空間部分を埋めるために背もたれ部Ｂを前進させればよい。
【００２１】
【発明の効果】
以上のとおりの構成を有する本発明によれば、以下の効果をもたらすものである。即ち、請求項１の本発明は、可動形式の背もたれ部Ｂにより、販売に伴い個数の減少したビデオソフト等の商品を常に適正な最前面に陳列でき、意図したとおりの陳列効果をもたらすことができる。また、背もたれ部Ｂの摺動部１１が有する鉤部１２によってロック機能が摺動溝４に作用し、傾斜面１上面の途中位置にビデオソフトＰ等の商品が置かれても決して後戻りをせず、その防止効果を発揮するものである。しかも、背もたれ部Ｂは摺動部１１を摺動溝４から嵌装を解いて傾斜面１に伏倒できるので、その包装または運搬時にかさばらず経費削減に寄与できるものである。更に、陳列トレー複数を簡単に連結し整然と並列できるので陳列効果を一層きわだたせることができる。
【００２２】
請求項２の本発明は、請求項１の本発明の効果に加えて、前壁部３を下方に長目に垂設することによって、既設の棚板前部を覆いかくすことができ、宣伝広告上の差別化に役立つものである。請求項３の本発明は、請求項１の本発明の効果に加えて、前壁部前部に顕出している表示板７Ｂを透明カバー７Ａで保護できるので、永い間、タイトル名などの表示を汚損したり損傷することもなく、また必要に応じて表示板７Ｂの差しかえも可能なものである。
【００２３】
請求項４の本発明は、請求項１の本発明の効果に加えて、紙製またはプラスチック製の規格化されたビデオソフトＰ等の商品の横幅の広狭に適合できるので、載置台Ａ上に並設したそれら商品のパッケージの側面が不揃いとならずに整然と手間をかけずにすぐれた展示効果を発揮できる。請求項５の本発明は、請求項１及び２の本発明に加えて、載置個所の棚板またはテーブル表面に吸盤Ｋによって確実に固定され、また陳列トレー複数を連結した場合、その意図しない左右への移行防止に寄与する。
【図面の簡単な説明】
【図１】分離状態の要部説明図
【図２】使用状態説明図
【図３】図１のＩＩＩ−ＩＩＩ線における背もたれ部の直立、伏倒または移行状態を示す断面説明図
【図４】図１のＩＶ−ＩＶ線における載置台の断面説明図
【図５】載置台の裏面図
【図６】陳列トレーの連結状態を示す説明図
【符号の説明】
Ａ    載置台
１    傾斜面
２Ａ    左側壁部
２Ｂ    右側壁部
３    前壁部
４    摺動溝
５    着脱穴
６Ａ    連結用突縁受入部
６Ｂ    連結用突縁部
７Ａ    透明カバー
７Ｂ    表示板
８    段落部
９    凹陥部
９Ａ    吸盤用取付孔
Ｋ    吸盤
Ｂ    背もたれ部
１１    摺動部
１２    鉤部
Ｐ    ビデオソフト
１０    挿入孔
Ｄ    装飾材
Ｓ    棚板
【図１】
0004160154.tif 000002
【図２】
0004160154.tif 000003
【図３】
0004160154.tif 000004
【図４】
0004160154.tif 000005
【図５】
0004160154.tif 000006
【図６】
0004160154.tif 000007